(57)【特許請求の範囲】
【請求項１】
表示ディスプレイと、
前記表示ディスプレイの前面に配置されるタッチパネルと、
前記タッチパネルに対するユーザー操作を受け付ける操作受付部と、
前記操作受付部により受け付けられたユーザー操作に応じて、前記表示ディスプレイによる表示動作を制御する表示制御部と、
前記操作受付部により受け付けられたユーザー操作に応じて、本表示入力装置において変更可能な複数の設定項目について設定値の変更を受け付ける設定値受付部と、
前記操作受付部により受け付けられたユーザー操作に応じて、前記変更可能な複数の設定項目のなかから特定の設定項目の選択を受け付ける設定項目登録部と、を備え、
前記表示制御部は、前記表示ディスプレイに、前記変更可能な複数の設定項目が第１の方向に沿って列挙されてなる設定項目リスト、前記第１の方向とは異なる第２の方向に沿った第１の設定値リストであって、当該第１の設定値リストと前記設定項目リストとが交差した領域に表示された設定項目に対する複数の設定値が列挙されてなる第１の設定値リスト、前記第１の方向および前記第２の方向とは異なる第３の方向に沿った第２の設定値リストであって、前記設定項目登録部が受け付けた前記特定の設定項目に対する複数の設定値が列挙されてなる第２の設定値リストを、それぞれ互いに交差させて表示させ、前記操作受付部が前記第１の方向へのスクロール操作を受け付けた場合には、前記設定項目リストをスクロール表示させるとともに、前記設定項目リストと前記第１の設定値リストとが交差した領域に表示された設定項目が変化した場合には、前記第１の設定値リストに列挙される複数の設定値を前記第１の設定値リストと交差した領域に表示された設定項目に対する複数の設定値に変えて表示させ、前記操作受付部が前記第２の方向へのスクロール操作を受け付けた場合には、前記第１の設定値リストをスクロール表示させ、前記操作受付部が前記第３の方向へのスクロール操作を受け付けた場合には、前記第２の設定値リストをスクロール表示させ、
前記設定値受付部は、前記操作受付部が受け付けたスクロール操作により、前記設定項目リストと交差した領域に表示された設定値を、変更後の設定値として受け付ける、表示入力装置。
【請求項２】
前記表示制御部は、前記表示ディスプレイに、前記複数の設定項目の一覧を表示させ、前記操作受付部がタッチ操作により前記複数の設定項目のうち何れか１つの設定項目の選択を受け付けた場合には、前記設定項目リスト、前記第１の設定値リスト、および前記第２の設定値リストが前記複数の設定項目の一覧に重なった状態でユーザーに視認される表示を行わせる、請求項１に記載の表示入力装置。
【請求項３】
前記表示制御部は、前記表示ディスプレイに、前記操作受付部が選択を受け付けた設定項目の位置で、前記設定項目リストと前記第１の設定値リストと前記第２の設定値リストとを交差させて表示させる、請求項２に記載の表示入力装置。
【請求項４】
前記表示制御部は、前記操作受付部が予め定められたユーザー操作を受け付けた場合、前記設定項目リスト、前記第１の設定値リスト、および前記第２の設定値リストが前記複数の設定項目の一覧に重なった状態でユーザーに視認される表示を止めさせ、前記設定値受付部が設定値の変更を受け付けた設定項目をそれ以外の設定項目と表示形態を異ならせて表示させる、請求項２に記載の表示入力装置。
【請求項５】
前記表示制御部は、前記設定項目リスト、前記第１の設定値リスト、および前記第２の設定値リストを循環してスクロール表示させる、請求項１に記載の表示入力装置。
【請求項６】
前記第１の方向は、縦方向または横方向の一方の方向であり、
前記第２の方向は、縦方向または横方向の他方の方向であり、
前記第３の方向は、前記第１の方向と前記第２の方向との間の方向である、請求項１乃至請求項５の何れか１項に記載の表示入力装置。
【請求項７】
タッチパネルに対するユーザー操作を受け付ける操作受付部と、
前記操作受付部により受け付けられたユーザー操作に応じて、表示ディスプレイによる表示動作を制御する表示制御部と、
前記操作受付部により受け付けられたユーザー操作に応じて、本表示入力装置において変更可能な複数の設定項目について設定値の変更を受け付ける設定値受付部と、
前記操作受付部により受け付けられたユーザー操作に応じて、前記変更可能な複数の設定項目のなかから特定の設定項目の選択を受け付ける設定項目登録部として、コンピューターを機能させ、
更に、前記表示制御部が、前記表示ディスプレイに、前記変更可能な複数の設定項目が第１の方向に沿って列挙されてなる設定項目リスト、前記第１の方向とは異なる第２の方向に沿った第１の設定値リストであって、当該第１の設定値リストと前記設定項目リストとが交差した領域に表示された設定項目に対する複数の設定値が列挙されてなる第１の設定値リスト、前記第１の方向および前記第２の方向とは異なる第３の方向に沿った第２の設定値リストであって、前記設定項目登録部が受け付けた前記特定の設定項目に対する複数の設定値が列挙されてなる第２の設定値リストを、それぞれ互いに交差させて表示させ、前記操作受付部が前記第１の方向へのスクロール操作を受け付けた場合には、前記設定項目リストをスクロール表示させるとともに、前記設定項目リストと前記第１の設定値リストとが交差した領域に表示された設定項目が変化した場合には、前記第１の設定値リストに列挙される複数の設定値を前記第１の設定値リストと交差した領域に表示された設定項目に対する複数の設定値に変えて表示させ、前記操作受付部が前記第２の方向へのスクロール操作を受け付けた場合には、前記第１の設定値リストをスクロール表示させ、前記操作受付部が前記第３の方向へのスクロール操作を受け付けた場合には、前記第２の設定値リストをスクロール表示させ、
前記設定値受付部は、前記操作受付部が受け付けたスクロール操作により、前記設定項目リストと交差した領域に表示された設定値を、変更後の設定値として受け付けるように、コンピューターを機能させる表示入力制御プログラム。
【発明の詳細な説明】
【技術分野】
【０００１】
本発明は、表示入力装置、および表示入力制御プログラムに関し、特に、複数の設定項目について設定値を変更する技術に関する。
【背景技術】
【０００２】
近年、機器の高機能化に伴い、多数の設定項目を有する画像形成装置、スマートフォン等の携帯端末、およびパーソナルコンピューター等が登場している。これらの機器は表示ディスプレイを有し、当該表示ディスプレイに、複数の設定項目が示された設定項目選択画面が表示される。設定項目選択画面において設定項目の選択を受け付けると、当該選択された設定項目において変更可能な設定値の候補が示された設定値変更画面が表示され、当該設定値変更画面におけるユーザー操作に基づき、設定値の変更を受け付ける。特許文献１には、表示ディスプレイの前面にタッチパネルを配置し、タッチ操作等により設定値の変更を受け付けることで、より直感的な操作で設定値の変更を行うことができる技術が開示されている。
【先行技術文献】
【特許文献】
【０００３】
【特許文献１】特開２０１３−２１８５２２号公報
【発明の概要】
【発明が解決しようとする課題】
【０００４】
しかしながら、上記の従来技術では、ある設定項目の設定値の変更を行った後、続けて他の設定項目の設定値の変更を行う場合には、再度設定項目選択画面に戻って、当該設定項目選択画面で所望の設定項目を選択し直す必要がある。複数の設定項目の設定値を変更するために設定項目選択画面と設定値変更画面とを行き来する必要があるため、操作面で煩雑でありユーザー利便性を欠く。
【０００５】
本発明は、上記の事情に鑑みなされたものであり、従来よりも簡易な操作で、複数の設定項目の設定値を変更することができる表示入力装置、および表示入力制御プログラムを提供することを目的とする。
【課題を解決するための手段】
【０００６】
本発明の一局面にかかる表示入力装置は、表示ディスプレイと、前記表示ディスプレイの前面に配置されるタッチパネルと、前記タッチパネルに対するユーザー操作を受け付ける操作受付部と、前記操作受付部により受け付けられたユーザー操作に応じて、前記表示ディスプレイによる表示動作を制御する表示制御部と、前記操作受付部により受け付けられたユーザー操作に応じて、本表示入力装置において変更可能な複数の設定項目について設定値の変更を受け付ける設定値受付部と、前記操作受付部により受け付けられたユーザー操作に応じて、前記変更可能な複数の設定項目のなかから特定の設定項目の選択を受け付ける設定項目登録部と、を備え、前記表示制御部は、前記表示ディスプレイに、前記変更可能な複数の設定項目が第１の方向に沿って列挙されてなる設定項目リスト、前記第１の方向とは異なる第２の方向に沿った第１の設定値リストであって、当該第１の設定値リストと前記設定項目リストとが交差した領域に表示された設定項目に対する複数の設定値が列挙されてなる第１の設定値リスト、前記第１の方向および前記第２の方向とは異なる第３の方向に沿った第２の設定値リストであって、前記設定項目登録部が受け付けた前記特定の設定項目に対する複数の設定値が列挙されてなる第２の設定値リストを、それぞれ互いに交差させて表示させ、前記操作受付部が前記第１の方向へのスクロール操作を受け付けた場合には、前記設定項目リストをスクロール表示させるとともに、前記設定項目リストと前記第１の設定値リストとが交差した領域に表示された設定項目が変化した場合には、前記第１の設定値リストに列挙される複数の設定値を前記第１の設定値リストと交差した領域に表示された設定項目に対する複数の設定値に変えて表示させ、前記操作受付部が前記第２の方向へのスクロール操作を受け付けた場合には、前記第１の設定値リストをスクロール表示させ、前記操作受付部が前記第３の方向へのスクロール操作を受け付けた場合には、前記第２の設定値リストをスクロール表示させ、前記設定値受付部は、前記操作受付部が受け付けたスクロール操作により、前記設定項目リストと交差した領域に表示された設定値を、変更後の設定値として受け付ける、表示入力装置である。
【０００７】
また、本発明の一局面にかかる表示入力制御プログラムは、タッチパネルに対するユーザー操作を受け付ける操作受付部と、前記操作受付部により受け付けられたユーザー操作に応じて、表示ディスプレイによる表示動作を制御する表示制御部と、前記操作受付部により受け付けられたユーザー操作に応じて、本表示入力装置において変更可能な複数の設定項目について設定値の変更を受け付ける設定値受付部と、前記操作受付部により受け付けられたユーザー操作に応じて、前記変更可能な複数の設定項目のなかから特定の設定項目の選択を受け付ける設定項目登録部として、コンピューターを機能させ、更に、前記表示制御部が、前記表示ディスプレイに、前記変更可能な複数の設定項目が第１の方向に沿って列挙されてなる設定項目リスト、前記第１の方向とは異なる第２の方向に沿った第１の設定値リストであって、当該第１の設定値リストと前記設定項目リストとが交差した領域に表示された設定項目に対する複数の設定値が列挙されてなる第１の設定値リスト、前記第１の方向および前記第２の方向とは異なる第３の方向に沿った第２の設定値リストであって、前記設定項目登録部が受け付けた前記特定の設定項目に対する複数の設定値が列挙されてなる第２の設定値リストを、それぞれ互いに交差させて表示させ、前記操作受付部が前記第１の方向へのスクロール操作を受け付けた場合には、前記設定項目リストをスクロール表示させるとともに、前記設定項目リストと前記第１の設定値リストとが交差した領域に表示された設定項目が変化した場合には、前記第１の設定値リストに列挙される複数の設定値を前記第１の設定値リストと交差した領域に表示された設定項目に対する複数の設定値に変えて表示させ、前記操作受付部が前記第２の方向へのスクロール操作を受け付けた場合には、前記第１の設定値リストをスクロール表示させ、前記操作受付部が前記第３の方向へのスクロール操作を受け付けた場合には、前記第２の設定値リストをスクロール表示させ、前記設定値受付部は、前記操作受付部が受け付けたスクロール操作により、前記設定項目リストと交差した領域に表示された設定値を、変更後の設定値として受け付けるように、コンピューターを機能させる表示入力制御プログラムである。
【発明の効果】
【０００８】
本発明によれば、従来よりも簡易な操作で、複数の設定項目の設定値を変更することができる。
【図面の簡単な説明】
【０００９】
【図１】本発明の一実施形態にかかる表示入力装置の一例である画像形成装置の外観を示す斜視図である。
【図２】本発明の一実施形態にかかる表示入力装置の一例である画像形成装置の主要内部構成を示す機能ブロック図である。
【図３】（Ａ）〜（Ｃ）は、本発明の一実施形態にかかる表示入力装置の表示ディスプレイに表示される設定画面の一例を示す図である。
【図４】本発明の一実施形態にかかる表示入力装置の動作の流れを示すフローチャートである。
【図５】本発明の一実施形態にかかる表示入力装置の表示ディスプレイに表示される設定項目登録画面の一例を示す図である。
【図６】（Ａ）〜（Ｃ）は、本発明の一実施形態にかかる表示入力装置の表示ディスプレイに表示される設定画面の一例を示す図である。
【図７】（Ａ）および（Ｂ）は、本発明の一実施形態にかかる表示入力装置の表示ディスプレイに表示される設定画面の一例を示す図である。
【図８】（Ａ）および（Ｂ）は、変形例１にかかる表示入力装置の表示ディスプレイに表示される設定画面の一例を示す図である。
【図９】（Ａ）〜（Ｃ）は、変形例２にかかる表示入力装置の表示ディスプレイに表示される設定画面の一例を示す図である。
【発明を実施するための形態】
【００１０】
以下、本発明の一実施形態にかかる表示入力装置、および表示入力制御プログラムについて図面を参照して説明する。
【００１１】
図１は、本発明の一実施形態にかかる表示入力装置の一例である画像形成装置の外観を示す斜視図である。図２は、本発明の一実施形態にかかる表示入力装置の一例である画像形成装置の主要内部構成を示す機能ブロック図である。
【００１２】
画像形成装置１は、例えば、コピー機能、プリンター機能、スキャナー機能、およびファクシミリ機能のような複数の機能を兼ね備えた複合機である。図１に示すように、画像形成装置１は、装置本体２と、装置本体２の上方に配置された原稿読取部１０と、原稿読取部１０と装置本体２との間に設けられた連結部３とから概略構成される。
【００１３】
画像形成装置１が原稿読取動作を行う場合、原稿給送部４により給送されてくる原稿又は不図示の原稿載置ガラスに載置された原稿を原稿読取部１０が光学的に読み取り、画像データを生成する。原稿読取部１０により生成された画像データは内蔵ＨＤＤ又はネットワーク接続されたコンピューター等に保存される。
【００１４】
画像形成装置１が画像形成動作を行う場合、上記原稿読取動作により生成された画像データ又は内蔵ＨＤＤに記憶されている画像データ等に基づいて、画像形成部２０が、帯電、露光および現像の工程により不図示の感光体ドラム上にトナー像を形成する。給紙部３０から給紙された用紙は、用紙搬送部４０により画像形成装置１の内部に形成された用紙搬送路を搬送され、画像形成装置１内の所定の位置でトナー像が転写される。この後、用紙に定着処理が施され、排出トレイ５に排出される。
【００１５】
画像形成装置１は、上記の原稿読取部１０、画像形成部２０、給紙部３０、および用紙搬送部４０に加えて、ＨＤＤ５０、通信インターフェイス６０、操作部７０、および制御ユニット１００等を備えている。
【００１６】
ＨＤＤ５０は、大容量の記憶装置であって、原稿読取部１０によって読み取られた画像データや、制御ユニット１００の後述する設定値受付部１０４が受け付けた変更後の設定値を記憶する。
【００１７】
通信インターフェイス６０は、ＬＡＮチップ等の通信モジュールを備え、ネットワーク接続された他の画像形成装置やパーソナルコンピューター等との間でデータ通信を行う。
【００１８】
操作部７０は、表示ディスプレイ７１、タッチパネル７２、および操作キー部７３を備える。
【００１９】
表示ディスプレイ７１は、液晶ディスプレイ（ＬＣＤ：Liquid Crystal Display）や有機ＥＬ（ＯＬＥＤ：Organic Light-Emitting Diode）ディスプレイで構成されている。表示ディスプレイ７１は、制御ユニット１００の後述する表示制御部１０３による制御に基づき、複数の設定項目が列挙されてなる設定項目リストや変更可能な設定値の候補が列挙された設定値リスト等を表示する。
【００２０】
タッチパネル７２は、所謂抵抗膜方式や静電容量方式等のタッチパネルである。タッチパネル７２は、表示ディスプレイ７１の前面に配置され、表示ディスプレイ７１の表示画面上におけるユーザーによる接触をその接触位置と共に検知する。タッチパネル７２は、ユーザーによる接触を検知すると、その接触点の座標位置を示す検知信号を制御ユニット１００の後述する操作受付部１０２等に出力する。なお、タッチパネル７２には、表示画面への直接の接触がなくても、ユーザーの指等が表示画面に対して一定距離まで接近した場合に当該指等を検出するタッチパネルも含まれる。このため、本実施形態でいう「接触」には、表示画面への接触がなくても指等が上記一定距離まで接近したことがタッチパネル７２の機能により検出される状態も、実質的に接触したとして含まれるものとする。
【００２１】
操作キー部７３は、例えば、メニューを呼び出すメニューキー、メニューを構成するＧＵＩのフォーカスを移動させる矢印キー、メニューを構成するＧＵＩに対して確定操作を行う決定キー、数値キー等であり、表示ディスプレイ７１に表示される設定メニューに対する操作をユーザーから受け付ける。
【００２２】
制御ユニット１００は、ＣＰＵ(Central Processing Unit)、ＲＡＭ（Random Access Memory）、およびＲＯＭ（Read Only Memory）等から構成される。制御ユニット１００は、上記のＲＯＭ又はＨＤＤ５０に記憶された表示入力制御プログラムが上記のＣＰＵにより実行されることにより、制御部１０１、操作受付部１０２、表示制御部１０３、設定値受付部１０４、および設定項目登録部１０５として機能する。なお、制御ユニット１００の制御部１０１、操作受付部１０２、表示制御部１０３、設定値受付部１０４、および設定項目登録部１０５は、上記の表示入力制御プログラムに基づく動作によらず、それぞれハード回路により構成されてもよい。
【００２３】
制御部１０１は、画像形成装置１全体の動作制御を司るものである。例えば、制御部１０１は、ＨＤＤ５０に記憶された各設定値に基づき、画像形成部２０、給紙部３０、用紙搬送部４０等を制御して、ユーザー所望の画像を用紙に形成させる。
【００２４】
操作受付部１０２は、タッチパネル７２から出力される検知信号に基づき、ユーザーにより入力されたユーザー操作を特定する。そして、操作受付部１０２は、特定したユーザー操作を受け付け、当該ユーザー操作に対応する制御信号を表示制御部１０３、設定値受付部１０４、設定項目登録部１０５等に出力する。
【００２５】
ここでユーザー操作には、スクロール操作（スワイプ操作ともいう）、タッチ操作、ピンチ操作等がある。例えば、ユーザーがタッチパネル７２上に指を接触させた状態で指を表示画面上でスライド移動させると、タッチパネル７２は、最初に接触を検出した初期位置から最後に接触を検出した最終位置までの各移動位置を示す検知信号を操作受付部１０２に出力する。操作受付部１０２は、タッチパネル７２から出力される上記検知信号から、ユーザーにより入力されたユーザー操作がスクロール操作であることを特定する。そして、操作受付部１０２は、スクロール操作に対応する制御信号を表示制御部１０３、設定値受付部１０４、設定項目登録部１０５等に出力する。
【００２６】
表示制御部１０３は、操作受付部１０２が受け付けたユーザー操作に応じて、表示ディスプレイ７１による表示動作を制御する機能を有する。例えば、操作受付部１０２がスクロール操作を受け付けた場合、表示制御部１０３は、当該スクロール操作に従い表示ディスプレイ７１に表示される画像をスクロール表示させる。
【００２７】
ここで、画像形成装置１は、複数の設定項目について設定値の変更を行う設定値変更モードを有している。表示制御部１０３は、当該設定値変更モードにおいて、表示ディスプレイ７１に所定の設定画面を表示させる。
【００２８】
図３（Ａ）〜図３（Ｃ）は、表示ディスプレイ７１に表示される設定画面の一例を示す図である。図３（Ａ）に示すように、表示制御部１０３は、表示ディスプレイ７１に、画像形成装置１において設定値を変更することが可能な複数の設定項目の一覧を示す設定画面Ｄ１を表示させる。図３（Ａ）に示す例では、設定項目とともに各設定項目における現在の設定値が表示されている。
【００２９】
図３（Ｂ）に示すように、操作受付部１０２がタッチ操作により複数の設定項目のうち１つの設定項目の選択を受け付けた場合、表示制御部１０３は、表示ディスプレイ７１における中央位置に、設定画面Ｄ２が設定画面Ｄ１に重なった状態でユーザーに視認される表示を行わせる（図３（Ｃ）参照）。ここで、設定画面Ｄ２は、複数の設定項目が第１の方向（図３（Ｃ）に示す例では縦方向）に沿って列挙されてなる設定項目リストｄ１、複数の設定項目のうち何れか１つの設定項目に対する複数の設定値が第１の方向とは異なる第２の方向（図３（Ｃ）に示す例では横方向）に沿って列挙されてなる第１の設定値リストｄ２、および、複数の設定値が第１の方向および第２の方向とは異なる第３の方向（図３（Ｃ）に示す例では斜め方向）に沿って列挙されてなる第２の設定値リストｄ３，ｄ４がそれぞれ互いに交差している。表示制御部１０３は、設定画面Ｄ２が表示された状態において、操作受付部１０２が受け付けたスクロール操作に応じて設定項目リストｄ１、第１の設定値リストｄ２、および第２の設定値リストｄ３，ｄ４をスクロール表示させる。
【００３０】
設定項目登録部１０５は、操作受付部１０２により受け付けられたユーザー操作に応じて、複数の設定項目のなかから特定の設定項目の選択を受け付ける。第２の設定値リストｄ３，ｄ４には、当該設定項目登録部１０５により受け付けられた特定の設定項目に対する複数の設定値が表示される。
【００３１】
設定値受付部１０４は、操作受付部１０２により受け付けられたユーザー操作に応じて、複数の設定項目について設定値の変更を受け付け、変更後の設定値をＨＤＤ５０に記憶させる。
【００３２】
続いて、上記の構成を備える画像形成装置１の動作について説明する。図４は、本発明の一実施形態にかかる表示入力装置の動作の流れを示すフローチャートである。また、図５は、表示ディスプレイ７１に表示される設定項目登録画面Ｄ３の一例を示す図である。また、図６（Ａ）〜図６（Ｃ）、図７（Ａ）、および図７（Ｂ）は、表示ディスプレイ７１に表示される設定画面の一例を示す図である。
【００３３】
画像形成装置１の制御部１０１は、まず、複数の設定項目について設定値の変更を行う設定値変更モードに移行するか否かを判定する（ステップＳ１０）。表示ディスプレイ７１に設定値変更モードに移行するためのボタンが表示されている場合には、当該ボタンが表示されたタッチパネル７２上の位置に接触するタッチ操作を操作受付部１０２が受け付けたときに、設定値変更モードに移行する。また、操作キー部７３に設定値変更モードを呼び出す専用のキーが設けられている場合には、当該専用のキーが押下されたときに、設定値変更モードに移行する。
【００３４】
設定値変更モードに移行した場合（ステップＳ１０においてＹＥＳ）、表示制御部１０３は、図３（Ａ）に示されるように、画像形成装置１において設定値を変更することが可能な複数の設定項目の一覧を示す設定画面Ｄ１を表示ディスプレイ７１に表示させる（ステップＳ１１）。
【００３５】
そして、表示制御部１０３は、設定画面Ｄ１が表示された状態において、操作受付部１０２がタッチ操作により複数の設定項目のうち１つの設定項目の選択を受け付けたか否かを判定する（ステップＳ１２）。
【００３６】
１つの選択項目の選択を受け付けた場合（ステップＳ１２においてＹＥＳ）、表示制御部１０３は、表示ディスプレイ７１に、設定画面Ｄ２が設定画面Ｄ１に重なった状態でユーザーに視認される表示を行わせる（ステップＳ１３）。この際、表示制御部１０３は、設定項目リストｄ１と第１の設定値リストｄ２と第２の設定値リストｄ３，ｄ４とが交差した領域ｄ５に、ステップＳ１２の処理において選択を受け付けた設定項目を表示させる。また、表示制御部１０３は、領域ｄ５に表示された設定項目に対する複数の設定値を第１の設定値リストｄ２に表示させる。図３（Ｂ）および図３（Ｃ）に示す例では、「原稿サイズ」が設定項目として選択されているため、第１の設定値リストｄ２には、「原稿サイズ」の設定項目において変更可能な複数の設定値“Ａ３”“Ａ４”“Ｂ３”等が表示されている。なお、領域ｄ５には、「原稿サイズ」の設定項目における現在の設定値である“Ａ４”が表示されている。
【００３７】
また、表示制御部１０３は、設定項目登録部１０５により受け付けられた特定の設定項目に対する複数の設定値を第２の設定値リストｄ３，ｄ４に表示させる。図５に示す例では、第２の設定値リストｄ３に「ページ集約」の設定項目が登録され、第２の設定値リストｄ４に「排出先」の設定項目が登録されているため、第２の設定値リストｄ３には「ページ集約」の設定項目において変更可能な複数の設定値“２ｉｎ１”“４ｉｎ１”等が表示され、第２の設定値リストｄ４には「排出先」の設定項目において変更可能な複数の設定値“トレイＡ”“トレイＢ”当該表示されている（図３（Ｃ）参照）。
【００３８】
表示制御部１０３は、設定画面Ｄ２が表示された状態において、操作受付部１０２が縦方向へのスクロール操作を受け付けたか否かを判定する（ステップＳ１４）。
【００３９】
縦方向へのスクロール操作を受け付けた場合（ステップＳ１４においてＹＥＳ）、表示制御部１０３は、設定項目リストｄ１をスクロール操作させるとともに、設定項目リストｄ１と第１の設定値リストｄ２と第２の設定値リストｄ３，ｄ４とが交差した領域ｄ５に表示された設定項目に対する複数の設定値を第１の設定値リストｄ２に表示させる（ステップＳ１５）。図６（Ａ）に示す例では、図３（Ｃ）に示される状態から縦方向へのスクロール操作を受け付け、設定項目リストｄ１をスクロール表示させた結果、領域ｄ５に「濃度」の設定項目が表示されている。この場合、第１の設定値リストｄ２に示される設定値が、「原稿サイズ」の設定項目に対する設定値から「濃度」の設定項目に対する設定値に切り替わっている。
【００４０】
また、表示制御部１０３は、設定画面Ｄ２が表示された状態において、操作受付部１０２が横方向へのスクロール操作を受け付けたか否かを判定する（ステップＳ１６）。
【００４１】
横方向へのスクロール操作を受け付けた場合（ステップＳ１６においてＹＥＳ）、表示制御部１０３は、第１の設定値リストｄ２をスクロール表示させる（ステップＳ１７）。図６（Ｂ）に示す例では、図６（Ａ）に示される状態から横方向へのスクロール操作を受け付け、第１の設定値リストｄ２をスクロール表示させた結果、設定項目リストｄ１と第１の設定値リストｄ２と第２の設定値リストｄ３，ｄ４とが交差した領域ｄ５に、「濃度」の設定項目の設定値として「＋１」が表示されている。また、図６（Ｃ）に示す例では、図３（Ｃ）に示される状態から横方向へのスクロール操作を受け付け、第１の設定値リストｄ２をスクロール表示させた結果、設定項目リストｄ１と第１の設定値リストｄ２とが交差した領域ｄ５に、「原稿サイズ」の設定項目の設定値として「Ａ５」の設定値が表示されている。
【００４２】
また、表示制御部１０３は、設定画面Ｄ２が表示された状態において、操作受付部１０２が斜め方向へのスクロール操作を受け付けたか否かを判定する（ステップＳ１８）。
【００４３】
斜め方向へのスクロール操作を受け付けた場合（ステップＳ１８においてＹＥＳ）、表示制御部１０３は、第２の設定値リストｄ３，ｄ４をスクロール表示させる（ステップＳ１９）。図７（Ａ）に示す例では、図６（Ｃ）に示される状態から斜め方向へのスクロール操作を受け付け、第２の設定値リストｄ４をスクロール表示させた結果、領域ｄ５に、「排出先」の設定項目の設定値として「トレイＡ」が表示されている。
【００４４】
また、表示制御部１０３は、設定項目リストｄ１、第１の設定値リストｄ２、および第２の設定値リストｄ３，ｄ４をスクロール表示させる際には、設定項目および設定値を循環して表示させる。図３（Ｃ）に示す例では、設定項目リストｄ１の一番上の欄に「ページ集約」の設定項目が表示されており、設定項目リストｄ１の一番下の欄に「排出先」の設定項目が表示されている。そして、その状態から縦方向へのスクロール操作を受け付けると、設定項目リストｄ１の設定項目が循環して表示され、図６（Ａ）に示すように、設定項目リストｄ１の一番上の欄には「排出先」の設定項目が表示される。
【００４５】
そして、表示制御部１０３は、操作受付部１０２が予め定められた設定値確定操作を受け付けたか否かを判定する（ステップＳ２０）。予め定められた設定値確定操作は、例えば、タッチパネル７２上の領域内におけるいずれかの位置で同位置を予め定められた期間内に２度タッチする操作（ダブルタッチ操作）である。
【００４６】
設定値確定操作を受け付けた場合（ステップＳ２０においてＹＥＳ）、設定値受付部１０４は、設定項目リストｄ１と第１の設定値リストｄ２と第２の設定値リストｄ３，ｄ４とが交差した領域ｄ５に表示された設定項目の設定値を、変更後の設定値として受け付け、当該設定値をＨＤＤ５０に記憶させる（ステップＳ２１）。
【００４７】
なお上記では、予め定められた設定値確定操作を操作受付部１０２が受け付けた場合に、設定値受付部１０４が、領域ｄ５に表示された設定項目の設定値を変更後の設定値として受け付ける場合を説明したが、本発明は必ずしもこの場合に限られない。ダブルタッチ操作等の特別な操作がなくとも、スクロール操作により、設定項目リストｄ１と第１の設定値リストｄ２と第２の設定値リストｄ３，ｄ４とが交差した領域ｄ５に表示される設定項目の設定値が変更され、その後予め定められた時間が経過した際に、設定値受付部１０４がその設定値を変更後の設定値として受け付けるとしてもよい。
【００４８】
ステップＳ２１の処理後、表示制御部１０３は、操作受付部１０２が予め定められた設定値変更終了操作を受け付けたか否かを判定する（ステップＳ２２）。予め定められた設定値変更終了操作は、例えば、タッチパネル７２上の設定画面Ｄ２が表示されていない位置をタッチする操作である。
【００４９】
設定値変更終了操作を受け付けない場合（ステップＳ２２においてＮＯ）、ステップＳ１４の処理に戻る。一方、設定値変更終了操作を受け付けた場合（ステップＳ２２においてＹＥＳ）、設定値が変更された設定項目をそれ以外の設定項目と表示形態を異ならせて設定項目の一覧を示す設定画面Ｄ１を表示ディスプレイ７１に表示させる（ステップＳ２３）。これにより、縦方向および横方向へのスクロール操作により設定値が変更された設定項目を、ユーザーにとって分かりやすい態様で報知することができる。図７（Ｂ）に示す例では、図３（Ａ）に示される状態から、「原稿サイズ」の設定項目について設定値「Ａ４」から設定値「Ａ５」に、「濃度」の設定項目について設定値「０」から設定値「＋１」に、「排出先」の設定項目について設定値「トレイＡ」から設定値「トレイＣ」に変更されている。
【００５０】
以上のように、本発明の一実施形態にかかる表示入力装置は、表示ディスプレイ７１と、表示ディスプレイ７１の前面に配置されるタッチパネル７２と、タッチパネル７２に対するユーザー操作を受け付ける操作受付部１０２と、操作受付部１０２により受け付けられたユーザー操作に応じて、表示ディスプレイ７１による表示動作を制御する表示制御部１０３と、操作受付部１０２により受け付けられたユーザー操作に応じて、複数の設定項目について設定値の変更を受け付ける設定値受付部１０４とを備えている。そして、表示制御部１０３は、表示ディスプレイ７１に、設定項目が第１の方向に沿って列挙されてなる設定項目リストｄ１、設定値が第１の方向とは異なる第２の方向に沿って列挙されてなる第１の設定値リストｄ２、および設定値が第１の方向および第２の方向とは異なる第３の方向に沿って列挙されてなる第２の設定値リストｄ３，ｄ４を、それぞれ互いに交差させて表示させ、操作受付部１０２が第１の方向へのスクロール操作を受け付けた場合には、設定項目リストｄ１をスクロール表示させるとともに、第１の設定値リストｄ２と交差した領域に表示された設定項目に対する複数の設定値を第１の設定値リストｄ２に表示させ、操作受付部１０２が第２の方向へのスクロール操作を受け付けた場合には、第１の設定値リストｄ２をスクロール表示させ、操作受付部１０２が第３の方向へのスクロール操作を受け付けた場合には、複数の設定項目のうち特定の設定項目に対する複数の設定値が表示された第２の設定値リストｄ３，ｄ４をスクロール表示させている。また、設定値受付部１０４は、操作受付部１０２が受け付けたスクロール操作により、設定項目リストｄ１と交差した領域に表示された設定値を、変更後の設定値として受け付ける。
【００５１】
上記の構成によれば、複数の設定項目の設定値の変更を、１つの設定画面で受け付けることが可能となる。ユーザーは、ある設定項目の設定値の変更を行った後、続けて他の設定項目の設定値の変更を行う場合であっても、再度設定項目選択画面に戻って、当該設定項目選択画面で所望の設定項目を選択し直す必要がなく、同じ設定画面で設定値を変更することができるため、ユーザー利便性に優れる。またユーザーに必要とされる操作は、２方向のスクロール操作といった直感的な操作のみであり、従来よりも簡易な操作で複数の設定項目の設定値を変更することができる。
【００５２】
また、上記の構成では、第２の設定値リストｄ３，ｄ４に、複数の設定項目のうち特定の設定項目に対する複数の設定値を表示している。設定値を変更する頻度が多い設定項目等を予め登録すれば、縦方向へのスクロール操作で所望の設定項目を選択するユーザー操作を行わず、斜め方向のスクロール操作のみで設定値を変更することが可能となり、より簡易な操作で複数の設定項目の設定値を変更することができる。
【００５３】
なお、本発明は、上記の実施の形態の構成に限られず種々の変形が可能である。
【００５４】
上記の実施の形態では、図３（Ｂ）および図３（Ｃ）に示すように、タッチ操作により設定項目の選択を受け付けた場合に、表示ディスプレイ７１における中央位置に設定画面Ｄ２が設定画面Ｄ１に重なった状態でユーザーに視認される表示を行わせる場合を説明したが、本発明は必ずしもこの場合に限定されない。
【００５５】
図８（Ａ）および図８（Ｂ）は、変形例１にかかる表示入力装置の表示ディスプレイ７１に表示される設定画面の一例を示す図である。図８（Ａ）に示す例では、操作受付部１０２がタッチ操作により複数の設定項目のうち「濃度」の設定項目の選択を受け付けている。この際、表示制御部１０３は、選択を受け付けた「濃度」の設定項目が表示された位置で設定項目リストｄ１と第１の設定値リストｄ２と第２の設定値リストｄ３，ｄ４とを交差させて、設定画面Ｄ２を表示ディスプレイ７１に表示させる（図８（Ｂ）参照）。表示ディスプレイ７１上のユーザーがタッチした位置に設定項目リストｄ１と第１の設定値リストｄ２と第２の設定値リストｄ３，ｄ４とが交差した領域ｄ５が表示されるため、タッチ操作の後に表示ディスプレイ７１から指を離す必要がなく、その位置からスクロール操作を行うことで設定項目の設定値の変更を行うことができ、操作性に優れる。
【００５６】
また、上記の実施の形態では、図６（Ａ）〜図７（Ｂ）に示すように、設定項目リストｄ１および設定値リストｄ２からなる放射状の設定画面Ｄ２を、表示ディスプレイ７１に表示する場合を説明したが、本発明は必ずしもこの場合に限定されない。
【００５７】
図９（Ａ）〜図９（Ｃ）は、変形例２にかかる表示入力装置の表示ディスプレイ７１に表示される設定画面の一例を示す図である。図３（Ｂ）に示すように操作受付部１０２がタッチ操作により複数の設定項目のうち１つの設定項目の選択を受け付けた場合、表示制御部１０３は、図３（Ｃ）に示すように設定画面Ｄ２全体が設定画面Ｄ１に重なった状態でユーザーに視認される表示を行わせるのではなく、図９（Ａ）〜図９（Ｃ）に示すように、設定項目リストｄ１と第１の設定値リストｄ２と第２の設定値リストｄ３，ｄ４とが交差した領域ｄ５のみを表示ディスプレイ７１に表示させる。
【００５８】
図３（Ｂ）に示すように操作受付部１０２がタッチ操作により「原稿サイズ」の設定項目の選択を受け付けた場合、表示制御部１０３は、図９（Ａ）に示すように領域ｄ５に「原稿サイズ」の設定項目と現在の設定値「Ａ４」とを表示させる。この状態において操作受付部１０２が横方向へのスクロール操作を受け付けた場合、表示制御部１０３は、領域ｄ５に「原稿サイズ」の各設定値を順に表示させる。そして、設定値受付部１０４は、操作受付部１０２が設定値確定操作を受け付けた際に、領域ｄ５に表示された設定項目の設定値を変更後の設定値として受け付ける。
【００５９】
また、図９（Ｂ）に示すように、操作受付部１０２が縦方向へのスクロール操作を受け付けた場合、表示制御部１０３は、領域ｄ５に各設定項目を順に表示させる（図９（Ｃ）参照）。ユーザーは、所望の設定項目が領域ｄ５に表示されるまで縦方向へのスクロール操作を行った後、横方向へのスクロール操作を行うことにより、所望の設定項目の設定値を変更することができる。
【００６０】
また、操作受付部１０２が斜め方向へのスクロール操作を受け付けた場合、表示制御部１０３は、第２の設定値リストｄ３，ｄ４に登録されている特定の設定項目の各設定値を順に表示させる。
【００６１】
また、上記の実施の形態では、設定画面Ｄ２に第２の設定値リストｄ３，ｄ４が２つ表示される場合を示したが、本発明は必ずしもこの場合に限定されない。設定画面Ｄ２に１つの第２の設定値リストを表示してもよいし、３つ以上の第２の設定値リストを表示してもよい。
【００６２】
また、上記実施の形態で説明した表示入力制御プログラムをコンピューター読み取り可能な非一時的な記録媒体、例えば、ハードディスク、ＣＤ−ＲＯＭ、ＤＶＤ−ＲＯＭ、半導体メモリーなどに記録したものとしてもよい。
【００６３】
また上記の実施の形態では、表示入力装置の一例として画像形成装置を示したが本発明は必ずしもこの場合に限定されない。本発明の一実施形態にかかる表示入力装置は、画像形成装置の他に、例えば、タブレット端末やスマートフォン等の携帯端末、パーソナルコンピューター、テレビ等に適応することができる。
【符号の説明】
【００６４】
１      画像形成装置
２０    画像形成部
７１    表示ディスプレイ
７２    タッチパネル
１００  制御ユニット
１０１  制御部
１０２  操作受付部
１０３  表示制御部
１０４  設定値受付部
１０５  設定項目登録部
ｄ１    設定項目リスト
ｄ２    第１の設定値リスト
ｄ３，ｄ４    第２の設定値リスト
【図１】
0005987017.tif 000002
【図２】
0005987017.tif 000003
【図３】
0005987017.tif 000004
【図４】
0005987017.tif 000005
【図５】
0005987017.tif 000006
【図６】
0005987017.tif 000007
【図７】
0005987017.tif 000008
【図８】
0005987017.tif 000009
【図９】
0005987017.tif 000010